(57)【要約】【課題】鋳型の製造コストを低く抑えることができるとともに、デザインの細かな変更に容易に対応することができる鋳型及び鋳物構造体を提供する。【解決手段】基本型１１と、前記基本型１１に組み合わされて使用される２種類以上の部分型１２と、を備えている。前記基本型１１は、前記部分型１２を収容可能な収容部１１ａを備えている。前記２種類以上の部分型１２は、それぞれが前記収容部１１ａに収容可能に略同一外形で形成されており、収容部１１ａに２種類以上の部分型１２から選択された任意の部分型１２を組み合わせることで複数種類のデザインの門扉２０を成形可能である。【選択図】図２
2014124678.tif 000002
【特許請求の範囲】
【請求項１】
基本型と、
前記基本型に組み合わされて使用される２種類以上の部分型と、
を備え、
前記基本型は、前記部分型を収容可能な収容部を備え、
前記２種類以上の部分型は、それぞれが前記収容部に収容可能に略同一外形で形成されており、
前記収容部に前記２種類以上の部分型から選択された任意の部分型を組み合わせることで複数種類のデザインの鋳物構造体を成形可能であることを特徴とする、鋳型。
【請求項２】
前記２種類以上の部分型として、少なくとも、中子を備えた立体デザイン用部分型と、中子を備えない平型デザイン用部分型と、を備えていることを特徴とする、請求項１記載の鋳型。
【請求項３】
請求項１又は２記載の鋳型で鋳造されたことを特徴とする、鋳物構造体。
【発明の詳細な説明】
【技術分野】
【０００１】
この発明は、基本型に対して部分型を組み合わせて形成した鋳型、及び、この鋳型によって鋳造される鋳物構造体に関する。
【背景技術】
【０００２】
従来、鋳造にて門扉等の鋳物構造体が製造されている。こうした鋳物構造体が立体的な複雑なデザインを有している場合には、例えば特許文献１に示すようなフルモールド鋳造方法や、中子を使用した鋳造方法が使用されていた。なお、中子を使用した鋳造方法の場合、中子を主型にセットした状態で湯口から湯（溶解した金属）を流し込むことで鋳物構造体が鋳造される。こうした特殊な鋳型は製品ごとに製作されていた。
【先行技術文献】
【特許文献】
【０００３】
【特許文献１】特公平１−１３９４０号公報
【発明の概要】
【発明が解決しようとする課題】
【０００４】
しかし、上記したような従来の鋳型を使用した場合、製品ごとに鋳型を製造しなければならないため、鋳型の製造コストが高価となるという問題があった。また、鋳物構造体のデザインのバリエーションを増やすことが困難であるため、ユーザの好みに合わせてカスタマイズした製品を容易に提供できないという問題があった。
【０００５】
そこで、本発明は、鋳型の製造コストを低く抑えることができるとともに、デザインの細かな変更に容易に対応することができる鋳型及び鋳物構造体を提供することを課題とする。
【課題を解決するための手段】
【０００６】
本発明は、上記した課題を解決するためになされたものであり、以下を特徴とする。
【０００７】
（請求項１）
請求項１に記載の鋳型は、基本型と、前記基本型に組み合わされて使用される２種類以上の部分型と、を備え、前記基本型は、前記部分型を収容可能な収容部を備え、前記２種類以上の部分型は、それぞれが前記収容部に収容可能に略同一外形で形成されており、前記収容部に前記２種類以上の部分型から選択された任意の部分型を組み合わせることで複数種類のデザインの鋳物構造体を成形可能であることを特徴とする。
【０００８】
（請求項２）
請求項２に記載の発明は、上記した請求項１記載の発明の特徴点に加え、以下の点を特徴とする。
【０００９】
すなわち、前記２種類以上の部分型として、少なくとも、中子を備えた立体デザイン用部分型と、中子を備えない平型デザイン用部分型と、を備えていることを特徴とする。
【００１０】
（請求項３）
請求項３に記載の鋳物構造体は、請求項１又は２記載の鋳型で鋳造されたことを特徴とする。
【発明の効果】
【００１１】
請求項１に記載の発明は上記の通りであり、収容部に２種類以上の部分型から選択された任意の部分型を組み合わせることで複数種類のデザインの鋳物構造体を成形可能であるので、部分型の種類を増やすだけで基本型を共用して安価にデザインのバリエーションを増やすことができる。また、鋳物構造体を骨組みとして支える部分を基本型でデザインし、骨組み以外の装飾部分を部分型でデザインすることで、装飾部分を容易に変更できるため、デザインの細かな変更に容易に対応することができる。
【００１２】
また、請求項２に記載の発明は上記の通りであり、前記２種類以上の部分型として、少なくとも、中子を備えた立体デザイン用部分型と、中子を備えない平型デザイン用部分型と、を備えている。このため、中子を必要とするような複雑なデザインであるか否かにかかわらず、単一の基本型を共用することができる。
【００１３】
また、請求項３に記載の発明は上記の通りであり、安価かつバリエーション豊富なデザインの鋳物構造体を得ることができる。
【図面の簡単な説明】
【００１４】
【図１】門扉（鋳物構造体）の正面図である。
【図２】鋳型の構造を説明する図である。
【図３】選択可能な剣先デザインの例を示す図である。
【図４】選択可能な上部デザインの例を示す図である。
【図５】選択可能な下部デザインの例を示す図である。
【図６】平型デザイン用部分型の一例を示す図である。
【図７】立体デザイン用部分型の一例を示す図である。
【図８】シミュレーションツールの画面イメージであって、（ａ）ベースデザインを選択する画面、（ｂ）色を選択する画面を示す図である。
【図９】シミュレーションツールの画面イメージであって、（ａ）剣先デザインを選択する画面、（ｂ）上部デザイン及び下部デザインを選択する画面を示す図である。
【図１０】シミュレーションツールの画面イメージであって、シミュレーション結果を表示する画面を示す図である。
【発明を実施するための形態】
【００１５】
本発明の実施形態について、鋳物構造体として図１に示すような門扉２０を例に説明する。
【００１６】
本実施形態に係る門扉２０は、縦枠２３と横枠２５とを四方に枠組みし、この枠内に縦格子材２４及び横格子材２６を配置したものである。この門扉２０は、図１に示すように、ベースデザイン部２１と選択デザイン部２２とを備えている。
【００１７】
ベースデザイン部２１は、後述する基本型１１によってデザインが決定される部分であり、基本的な構造を支持する縦枠２３及び横枠２５を含む部分である。このベースデザイン部２１は選択デザイン部２２を除いたすべての部分である。
【００１８】
また、選択デザイン部２２は、後述する部分型１２によってデザインが決定される部分である。選択デザイン部２２は、部分型１２を変更することでデザインを変更可能な部分であり、これにより門扉２０の装飾を任意のデザインに変更できるようになっている。
【００１９】
この選択デザイン部２２は、本実施形態では縦格子材２４の３箇所に設けられている。具体的には、縦格子材２４の上端に設けられた剣先デザイン部２２ａと、縦格子材２４の上部に設けられた上部デザイン部２２ｂと、縦格子材２４の下部に設けられた下部デザイン部２２ｃと、の３種類の選択デザイン部２２が設けられている。
【００２０】
上記した門扉２０は、図２に示すような鋳型１０を使用して製造される。本実施形態に係る鋳型１０は、基本型１１と、前記基本型１１に組み合わされて使用される複数の部分型１２と、を備えている。
【００２１】
基本型１１は、門扉２０の全体的なデザインを決定するベースとなる型である。この基本型１１によって、門扉２０のベースデザイン部２１のデザインが決定される。この基本型１１は砂型であり、原形を砂にプレスして作成される。
【００２２】
この基本型１１には、図２に示すように、門扉２０の選択デザイン部２２に対応する位置に収容部１１ａが形成されている。原形を砂にプレスして基本型１１を作成する際には、収容部１１ａを形成するために収容部１１ａの位置に巾木がセットされる。そして、このように巾木をセットした状態でプレスすることで、方形状の空間である収容部１１ａが形成され、収容部１１ａを備えた基本型１１が作成される。
【００２３】
本実施形態に係る基本型１１には、この収容部１１ａが３種類設けられている。具体的には、門扉２０の剣先に当たる部分に設けられた剣先収容部１１ｂと、門扉２０の縦格子の上部に当たる部分に設けられた上部収容部１１ｃと、門扉２０の縦格子の下部に当たる部分に設けられた下部収容部１１ｄと、が設けられている。
【００２４】
部分型１２は、上記した収容部１１ａに収容されて使用されることで門扉２０の選択デザイン部２２のデザインを決定する型である。主にこの部分型１２によって、門扉２０の装飾デザインが決定される。この部分型１２は、例えば２つの分割片１５を有する金型であり、２つの分割片１５が互いに接合された状態で内部空間に湯（溶解した金属）を流し込むことができるように形成されている。この部分型１２の内部空間は、基本型１１と組み合わせたときに基本型１１の内部空間と連通するように形成されており、これにより、鋳造したときに門扉２０のベースデザイン部２１と選択デザイン部２２とが連続して形成される（本実施形態においては１本の連続する縦格子材２４を形成する）ようになっている。
【００２５】
この部分型１２は、剣先収容部１１ｂに収容される剣先部分型１２ａと、上部収容部１１ｃに収容される上部部分型１２ｂと、下部収容部１１ｄに収容される下部部分型１２ｃと、の３つのカテゴリに分類することができ、それぞれのカテゴリにおいて複数種類の部分型１２が用意されている。各カテゴリの部分型１２は、対応する収容部１１ａに収容可能となるように略同一外形で形成されている。すなわち、すべての剣先部分型１２ａは剣先収容部１１ｂと略同じ大きさで形成されており、すべての上部部分型１２ｂは上部収容部１１ｃと略同じ大きさで形成されており、すべての下部部分型１２ｃは下部収容部１１ｄと略同じ大きさで形成されている。
【００２６】
なお、本実施形態においては、剣先部分型１２ａが５種類用意されており、この５種類の剣先部分型１２ａのうちから選択した任意の剣先部分型１２ａを剣先収容部１１ｂに収容して組み合わせることで、門扉２０の剣先を好みのデザインとすることができる（図３に示すデザインＡ〜Ｅの中から選択したデザインとすることができる）。同様に、上部部分型１２ｂは３種類用意されており、この３種類の上部部分型１２ｂのうちから選択した任意の上部部分型１２ｂを上部収容部１１ｃに収容して組み合わせることで、門扉２０の上部を好みのデザインとすることができる（図４に示すデザインＦ〜Ｈの中から選択したデザインとすることができる）。また、下部部分型１２ｃは４種類用意されており、この４種類の下部部分型１２ｃのうちから選択した任意の下部部分型１２ｃを下部収容部１１ｄに収容して組み合わせることで、門扉２０の下部を好みのデザインとすることができる（図５に示すデザインＩ〜Ｌの中から選択したデザインとすることができる）。
【００２７】
また、本実施形態においては、部分型１２として、中子１３ａを備えた立体デザイン用部分型１３と、中子１３ａを備えない平型デザイン用部分型１４と、を用意している。平型デザイン用部分型１４は、図６に示すように、２つの分割片１５のみで形成された型である。一方、立体デザイン用部分型１３は、図７に示すように、２つの分割片１５の内部に中子１３ａを固定することで、中空を有するデザインなどの立体的なデザインを可能とする型である。なお、分割片１５の内部に中子１３ａを固定する際には、分割片１５及び中子１３ａに設けられた係合部１３ｂ、１３ｃなどを使用すればよい。
【００２８】
本実施形態においては、剣先部分型１２ａは、５種類すべてのデザイン（図３におけるデザインＡ〜Ｅ）が平型デザイン用部分型１４を使用するものである。上部部分型１２ｂは、デザインＧ（図４参照）が立体デザイン用部分型１３を使用するものであり、デザインＦ及びデザインＨ（図４参照）が平型デザイン用部分型１４を使用するものである。下部部分型１２ｃは、デザインＪ（図５参照）が立体デザイン用部分型１３を使用するものであり、デザインＩ、デザインＫ及びデザインＬ（図５参照）が平型デザイン用部分型１４を使用するものである。
【００２９】
上記した鋳型１０で門扉２０を鋳造する際には、まず基本型１１に任意の部分型１２をセットする。本実施形態においては基本型１１が複数の収容部１１ａを備えているので、すべての収容部１１ａに部分型１２を配置する。その後、従来の鋳造と同様に湯（溶解した金属）を流し込む。そして金属が固まったたら門扉２０を鋳型１０から取り出せばよい。
【００３０】
このように門扉２０のデザインを容易に変更できるため、組み合わせによるセミオーダーの門扉２０も容易に提供することができる。セミオーダーの方法としては、例えば、パソコンのインターネットブラウザ上で実行可能なシミュレーションツールを提供し、このシミュレーションツールを使用してデザインのシミュレーションを行えるようにすることができる。
【００３１】
図８〜１０はシミュレーションツールの画面イメージ例である。このシミュレーションツールは以下のように操作する。
【００３２】
まず、図８（ａ）に示すように、複数のデザインの中から基本となるデザインを選択する。ここで選択されたデザインによって門扉２０のベースデザイン部２１のデザインが決定される。
【００３３】
基本となるデザインが選択されると、画面が切り替わり、デザインの細部を選択する画面となる。
【００３４】
ここで、図８（ｂ）に示すように「製品色」を選択するタブＴ１を選択した場合、画面右に製品の色を選択する画面が表示される。画面右において任意の色を選択すると、画面左に表示された門扉２０に対して選択した色が反映され、門扉２０のイメージを確認することができる。
【００３５】
また、図９（ａ）に示すように「剣先」を選択するタブＴ２を選択した場合、画面右に剣先デザインを選択する画面が表示される。ここで選択されたデザインによって門扉２０の剣先デザイン部２２ａのデザインが決定される。画面右において剣先デザインを選択すると、画面左に表示された門扉２０に対して選択した剣先デザインが反映され、門扉２０のイメージを確認することができる。
【００３６】
また、図９（ｂ）に示すように「パーツ」を選択するタブＴ３を選択した場合、画面右にデザインパーツ（上、下）を選択する画面が表示される。ここで選択されたデザインによって門扉２０の上部デザイン部２２ｂ及び下部デザイン部２２ｃのデザインが決定される。画面右においてデザインパーツを選択すると、画面左に表示された門扉２０に対して選択したデザインパーツが反映され、門扉２０のイメージを確認することができる。
【００３７】
上記設定が完了して好みのデザインを作成できたら、決定ボタンＢ（図９（ｂ）参照）を押下してデザインを確定させる。すると、図１０に示すように、最終的な選択結果が詳細な項目とともに表示され、更に、この組み合わせを発注した場合の費用見積りが表示される。
【００３８】
以上のようなシミュレーションツールを使用すれば、エンドユーザであっても簡単にデザインを確認することができる。また、このようなシミュレーションツールを自社のホームページで公開し、シミュレーションツールで選択したデザインをそのまま注文できるようにすれば、迅速かつ分かりやすい発注作業が可能となる。
【００３９】
以上説明したように、本実施形態に係る鋳型１０によれば、収容部１１ａに２種類以上の部分型１２から選択された任意の部分型１２を組み合わせることで複数種類のデザインの門扉２０を成形可能であるので、部分型１２の種類を増やすだけで基本型１１を共用して安価にデザインのバリエーションを増やすことができる。また、門扉２０のベースデザイン部２１を基本型１１でデザインし、選択デザイン部２２を部分型１２でデザインすることで、装飾部分を容易に変更できるため、デザインの細かな変更に容易に対応することができる。
【００４０】
また、前記２種類以上の部分型１２として、中子１３ａを備えた立体デザイン用部分型１３と、中子１３ａを備えない平型デザイン用部分型１４と、を備えているため、中子１３ａを必要とするような複雑なデザインであるか否かにかかわらず、単一の基本型１１を共用することができる。
【００４１】
また、上記した鋳型１０を使用することで、安価かつバリエーション豊富なデザインの門扉２０を得ることができる。
【００４２】
なお、上記した実施形態は一例に過ぎず、鋳物構造体として門扉２０以外の鋳物を鋳造してもよいことは言うまでもない。また、収容部１１ａの位置や種類、部分型１２のカテゴリや種類も一例に過ぎず、本発明の範囲において自由に設定可能である。
【符号の説明】
【００４３】
１０  鋳型
１１  基本型
１１ａ  収容部
１１ｂ  剣先収容部
１１ｃ  上部収容部
１１ｄ  下部収容部
１２  部分型
１２ａ  剣先部分型
１２ｂ  上部部分型
１２ｃ  下部部分型
１３  立体デザイン用部分型
１３ａ  中子
１３ｂ、１３ｃ  係合部
１４  平型デザイン用部分型
１５  分割片
２０  門扉（鋳物構造体）
２１  ベースデザイン部
２２  選択デザイン部
２２ａ  剣先デザイン部
２２ｂ  上部デザイン部
２２ｃ  下部デザイン部
２３  縦枠
２４  縦格子材
２５  横枠
２６  横格子材
【図１】
2014124678.tif 000003
【図２】
2014124678.tif 000004
【図３】
2014124678.tif 000005
【図４】
2014124678.tif 000006
【図５】
2014124678.tif 000007
【図６】
2014124678.tif 000008
【図７】
2014124678.tif 000009
【図８】
2014124678.tif 000010
【図９】
2014124678.tif 000011
【図１０】
2014124678.tif 000012